(57)【要約】【課題】複数の成形条件の設定値の組の中から、比較基準組と類似した成形条件の設定値を有する組を、容易に見つけることを可能とする表示手段を備えたことを特徴とする射出成形機の表示装置を提供すること。【解決手段】射出成形機１０の記憶手段１１にＭ個の成形条件の設定値から成る組をＮ（Ｎ≧２）組を記憶し、比較手段・計数手段・表示手段１２は、Ｎ組の内、任意の１つの組を比較基準組として選択し、前記比較基準組を除く（Ｎ−１）組の内の一部または全てを比較対象組とし、前記比較基準組の成形条件の設定値と、前記比較対象組の成形条件の設定値とをＭ個の成形条件のそれぞれについて比較し、少なくとも前記比較基準組の成形条件の設定値に対して前記比較対象組の成形条件の設定値が所定範囲内である成形条件の数を前記比較対象組毎に数え、少なくとも前記所定範囲内である成形条件の数を前記比較対象組に対応させて表示する。【選択図】図１０
2014136351.tif 000002
【特許請求の範囲】
【請求項１】
Ｍ個の成形条件の設定値から成る組をＮ（Ｎ≧２）組記憶する記憶手段と、
Ｎ組の内、任意の１つの組を比較基準組として選択する選択手段と、
前記記憶されたＮ組の成形条件の設定値の組の内、前記比較基準組を除く（Ｎ−１）組の内の一部または全てを比較対象組とし、前記比較基準組の成形条件の設定値と、前記比較対象組の成形条件の設定値とをＭ個の成形条件のそれぞれについて比較する比較手段と、
前記比較基準組の成形条件の設定値に対して前記比較対象組の成形条件の設定値が所定範囲内である成形条件の数と所定範囲外である成形条件の数の両方、またはいずれか一方を前記比較対象組毎に数える計数手段と、
前記所定範囲内である成形条件の数と前記所定範囲外である成形条件の数の両方、またはいずれか一方を前記比較対象組に対応させて表示する表示手段を備えたことを特徴とする射出成形機の表示装置。
【請求項２】
Ｍ個の成形条件の設定値から成る組をＮ（Ｎ≧２）組記憶する記憶手段と、
Ｎ組の内、任意の１つの組を比較基準組として選択する選択手段と、
前記記憶されたＮ組の成形条件の設定値の組の内、前記比較基準組を除く（Ｎ−１）組の内の一部または全てを比較対象組とし、前記比較基準組の成形条件の設定値と、前記比較対象組の成形条件の設定値とをＭ個の成形条件のそれぞれについて比較する比較手段と、
前記比較基準組の成形条件の設定値に対して前記比較対象組の成形条件の設定値が所定範囲内である成形条件の数と所定範囲外である成形条件の数の両方、またはいずれか一方を前記比較対象組毎に数える計数手段と、
前記所定範囲内である成形条件の割合と前記所定範囲外である成形条件の割合の両方、またはいずれか一方を前記比較対象組に対応させて表示する表示手段を備えたことを特徴とする射出成形機の表示装置。
【請求項３】
Ｍ個の成形条件の設定値から成る組をＮ（Ｎ≧２）組記憶する記憶手段と、
前記Ｎ組の内の一部または全ての中から総当り方式で２つの組を選んで一方を比較基準組、他方を比較対象組とし、前記比較基準組の成形条件の設定値と、前記比較対象組の成形条件の設定値とをＭ個の成形条件のそれぞれについて比較する比較手段と、
前記比較基準組の成形条件の設定値に対して前記比較対象組の成形条件の設定値が所定範囲内である成形条件の数と所定範囲外である成形条件の数を前記比較対象組毎に数える計数手段と、
前記所定範囲内である成形条件の数と所定範囲外である成形条件の数の両方、またはいずれか一方を前記比較対象組に対応させて表示する表示手段を備えたことを特徴とする射出成形機の表示装置。
【請求項４】
Ｍ個の成形条件の設定値から成る組をＮ（Ｎ≧２）組記憶する記憶手段と、
前記Ｎ組の内の一部または全ての中から総当り方式で２つの組を選んで一方を比較基準組、他方を比較対象組とし、前記比較基準組の成形条件の設定値と、前記比較対象組の成形条件の設定値とをＭ個の成形条件のそれぞれについて比較する比較手段と、
前記比較基準組の成形条件の設定値に対して前記比較対象組の成形条件の設定値が所定範囲内である成形条件の数と所定範囲外である成形条件の数の両方、またはいずれか一方を前記比較対象組毎に数える計数手段と、
前記所定範囲内である成形条件の割合と前記所定範囲外である成形条件の割合の両方、またはいずれか一方を前記比較対象組に対応させて表示する表示手段を備えたことを特徴とする射出成形機の表示装置。
【請求項５】
前記Ｍ個の成形条件をＬ（Ｌ≧２）個のグループに分類し、前記比較手段は、前記比較基準組の成形条件の設定値と、前記比較対象組の成形条件の設定値とをグループ毎にグループ内の成形条件のそれぞれについて比較することを特徴とする請求項１から４項の何れか１つに記載の射出成形機の表示装置。
【請求項６】
前記所定範囲内である成形条件の数と前記所定範囲外である成形条件の数の両方、またはいずれか一方が多い順または少ない順に前記比較対象組を並べて表示することを特徴とする請求項１または２のいずれか１つに記載の射出成形機の表示装置。
【請求項７】
Ｍ個の成形条件の設定値から成るＮ（Ｎ≧２）組の内、任意の１つの組を比較基準組とし、
前記Ｎ組の成形条件の設定値の組の内、前記比較基準組を除く（Ｎ−１）組の内の一部または全てを比較対象組とし、
前記比較基準組の成形条件の設定値と、前記比較対象組の成形条件の設定値とをＭ個の成形条件のそれぞれについて比較を行い、
前記比較基準組の成形条件の設定値に対して前記比較対象組の成形条件の設定値が所定範囲内である成形条件の数と所定範囲外である成形条件の数の両方、またはいずれか一方を前記比較対象組毎に数え、
前記所定範囲内である成形条件の数と所定範囲外である成形条件の数の両方、またはいずれか一方を前記比較対象組に対応させて表示することを特徴とする射出成形機の表示方法。
【請求項８】
Ｍ個の成形条件の設定値から成るＮ（Ｎ≧２）組の内、任意の１つの組を比較基準組とし、
前記Ｎ個の成形条件の設定値の組の内、前記比較基準組を除く（Ｎ−１）組の内の一部または全てを比較対象組とし、
前記比較基準組の成形条件の設定値と、前記比較対象組の成形条件の設定値とをＭ個の成形条件のそれぞれについて比較を行い、
前記比較基準組の成形条件の設定値に対して前記比較対象組の成形条件の設定値が所定範囲内である成形条件の数と所定範囲外である成形条件の数の両方、またはいずれか一方を前記比較対象組毎に数え、
前記所定範囲内の成形条件の割合と所定範囲外の成形条件の割合の両方、またはいずれか一方を前記比較対象組に対応させて表示することを特徴とする射出成形機の表示方法。
【請求項９】
Ｍ個の成形条件の設定値から成るＮ（Ｎ≧２）組の内の一部または全ての中から総当り方式で２つの組を選んで一方を比較基準組、他方を比較対象組とし、
前記比較基準組の成形条件の設定値と、前記比較対象組の成形条件の設定値とをＭ個の成形条件のそれぞれについて比較し、
前記比較基準組の成形条件の設定値に対して前記比較対象組の成形条件の設定値が所定範囲内である成形条件の数と所定範囲外である成形条件の数の両方、またはいずれ一方を前記比較対象組毎に数え、
前記所定範囲内の成形条件の数と所定範囲外の成形条件の数の両方、またはいずれか一方を前記比較対象組に対応させて表示することを特徴とする射出成形機の表示方法。
【請求項１０】
Ｍ個の成形条件の設定値から成るＮ（Ｎ≧２）組の内の一部または全ての中から総当り方式で２つの組を選んで一方を比較基準組、他方を比較対象組とし、
前記比較基準組の成形条件の設定値と、前記比較対象組の成形条件の設定値とをＭ個の成形条件のそれぞれについて比較し、
前記比較基準組の成形条件の設定値に対して前記比較対象組の成形条件の設定値が所定範囲内である成形条件の数と所定範囲外である成形条件の数の両方、またはいずれか一方を前記比較対象組毎に数え、
前記所定範囲内である成形条件の割合と所定範囲外である成形条件の割合の両方、またはいずれか一方を前記比較対象組に対応させて表示することを特徴とする射出成形機の表示方法。
【請求項１１】
前記Ｍ個の成形条件をＬ（Ｌ≧２）個のグループに分類し、前記比較基準組の成形条件の設定値と、前記比較対象組の成形条件の設定値とをグループ毎にグループ内の成形条件のそれぞれについて比較することを特徴とする請求項７から１０項のいずれか１つに記載の射出成形機の表示方法。
【請求項１２】
前記所定範囲内である成形条件の数と前記所定範囲外である成形条件の数の両方、またはいずれか一方が多い順または少ない順に前記比較対象組を並べて表示することを特徴とする請求項７または８のいずれか１つに記載の射出成形機の表示方法。
【発明の詳細な説明】
【技術分野】
【０００１】
本発明は、射出成形機の成形条件の設定値の組を複数記憶する手段を有する射出成形機の表示装置に関する。
【背景技術】
【０００２】
射出成形機により成形品を成形するには、成形動作の射出、保圧、計量、型開き、型閉じ、等の各工程に対して、それぞれの動作条件を設定しなければならない。この動作条件は一般的に成形条件と呼ばれている。  
成形条件は、成形を行う金型や成形品に対応して、射出、保圧、計量、型開き、型閉じ、等の工程に関する位置、速度、圧力等の設定が行われ、これらを１つの成形条件の設定値の組としている。成形条件の設定値の組は、射出成形機に内蔵された記憶手段、メモリカードなど射出成形機の制御装置に挿入して使用する記憶手段、射出成形機に通信回線で接続された管理装置の記憶手段等に記憶するのが一般的である（特許文献１参照）。
【先行技術文献】
【特許文献】
【０００３】
【特許文献１】特開昭６１−２４８７２２号公報
【発明の概要】
【発明が解決しようとする課題】
【０００４】
近年、上述した射出成形機の記憶手段は大容量化が進み、記憶可能な成形条件の設定値の組の数も増加している。これにより、従来は記憶容量の制限で記憶できなかった、成形条件の調整過程での成形条件の設定値の組や、樹脂の種類や成形機の周囲環境の影響で微調整した成形条件の設定値の組なども、記憶容量を気にせずに記憶することが可能になった。
【０００５】
例えば、トライアンドエラーで成形を行いながら良品を成形する成形条件を見つける際に、調整途中の成形条件の設定値の組を記憶しておけば、調整の方針が間違っていた場合でも、過去に記憶した調整途中の成形条件の設定値の組を呼び出して、そこから調整をやり直すことができる。
【０００６】
また、樹脂の種類や射出成形機の周囲温度により成形品質が影響を受ける場合には、改めて成形条件の調整を行わなくても、過去の同じような樹脂あるいは周囲環境で成形した際に記憶した成形条件の設定値の組を呼び出して使用することにより、成形条件調整の効率化を図ることが可能になる。  
このように、成形条件の設定値の組を射出成形機の記憶手段の記憶容量を気にせず記憶できることは、成形条件の調整作業での利便性が向上するという長所がある。
【０００７】
しかしながら、上記のように成形条件の設定値の組を記憶すると、射出成形機の記憶手段上に多量の組を記憶することとなる。多量の組を見分けるためには、組を見分けるために適切な名称をつけたり、類似した組を分類して記憶するなどの煩雑な作業を行わなければ、後で所望の組を見つけることが困難になるという問題が発生する。
【０００８】
そこで本発明の目的は、上記従来技術の問題点に鑑み、複数の成形条件の設定値の組の中から、あらかじめ任意の１つの組を比較基準組として選択し、選択された組を除く組の全てまたは一部の組を比較対象組とし、比較対象組の中から、比較基準組と類似した成形条件の設定値を有する組を、容易に見つけることを可能とする表示手段を備えたことを特徴とする射出成形機の表示装置を提供することである。
【課題を解決するための手段】
【０００９】
本願の請求項１に係る発明は、Ｍ個の成形条件の設定値から成る組をＮ（Ｎ≧２）組記憶する記憶手段と、Ｎ組の内、任意の１つの組を比較基準組として選択する選択手段と、前記記憶されたＮ組の成形条件の設定値の組の内、前記比較基準組を除く（Ｎ−１）組の内の一部または全てを比較対象組とし、前記比較基準組の成形条件の設定値と、前記比較対象組の成形条件の設定値とをＭ個の成形条件のそれぞれについて比較する比較手段と、前記比較基準組の成形条件の設定値に対して前記比較対象組の成形条件の設定値が所定範囲内である成形条件の数と所定範囲外である成形条件の数の両方、またはいずれか一方を前記比較対象組毎に数える計数手段と、前記所定範囲内である成形条件の数と前記所定範囲外である成形条件の数の両方、またはいずれか一方を前記比較対象組に対応させて表示する表示手段を備えたことを特徴とする射出成形機の表示装置である。
【００１０】
請求項２に係る発明は、Ｍ個の成形条件の設定値から成る組をＮ（Ｎ≧２）組記憶する記憶手段と、Ｎ組の内、任意の１つの組を比較基準組として選択する選択手段と、前記記憶されたＮ組の成形条件の設定値の組の内、前記比較基準組を除く（Ｎ−１）組の内の一部または全てを比較対象組とし、前記比較基準組の成形条件の設定値と、前記比較対象組の成形条件の設定値とをＭ個の成形条件のそれぞれについて比較する比較手段と、前記比較基準組の成形条件の設定値に対して前記比較対象組の成形条件の設定値が所定範囲内である成形条件の数と所定範囲外である成形条件の数の両方、またはいずれか一方を前記比較対象組毎に数える計数手段と、前記所定範囲内である成形条件の割合と前記所定範囲外である成形条件の割合の両方、またはいずれか一方を前記比較対象組に対応させて表示する表示手段を備えたことを特徴とする射出成形機の表示装置である。
【００１１】
請求項３に係る発明は、Ｍ個の成形条件の設定値から成る組をＮ（Ｎ≧２）組記憶する記憶手段と、前記Ｎ組の内の一部または全ての中から総当り方式で２つの組を選んで一方を比較基準組、他方を比較対象組とし、前記比較基準組の成形条件の設定値と、前記比較対象組の成形条件の設定値とをＭ個の成形条件のそれぞれについて比較する比較手段と、
前記比較基準組の成形条件の設定値に対して前記比較対象組の成形条件の設定値が所定範囲内である成形条件の数と所定範囲外である成形条件の数を前記比較対象組毎に数える計数手段と、前記所定範囲内である成形条件の数と所定範囲外である成形条件の数の両方、またはいずれか一方を前記比較対象組に対応させて表示する表示手段を備えたことを特徴とする射出成形機の表示装置である。
【００１２】
請求項４に係る発明は、Ｍ個の成形条件の設定値から成る組をＮ（Ｎ≧２）組記憶する記憶手段と、前記Ｎ組の内の一部または全ての中から総当り方式で２つの組を選んで一方を比較基準組、他方を比較対象組とし、前記比較基準組の成形条件の設定値と、前記比較対象組の成形条件の設定値とをＭ個の成形条件のそれぞれについて比較する比較手段と、前記比較基準組の成形条件の設定値に対して前記比較対象組の成形条件の設定値が所定範囲内である成形条件の数と所定範囲外である成形条件の数の両方、またはいずれか一方を前記比較対象組毎に数える計数手段と、前記所定範囲内である成形条件の割合と前記所定範囲外である成形条件の割合の両方、またはいずれか一方を前記比較対象組に対応させて表示する表示手段を備えたことを特徴とする射出成形機の表示装置である。
【００１３】
請求項５に係る発明は、前記Ｍ個の成形条件をＬ（Ｌ≧２）個のグループに分類し、前記比較手段は、前記比較基準組の成形条件の設定値と、前記比較対象組の成形条件の設定値とをグループ毎にグループ内の成形条件のそれぞれについて比較することを特徴とする請求項１から４項の何れか１つに記載の射出成形機の表示装置である。  
請求項６に係る発明は、前記所定範囲内である成形条件の数と前記所定範囲外である成形条件の数の両方、またはいずれか一方が多い順または少ない順に前記比較対象組を並べて表示することを特徴とする請求項１または２のいずれか１つに記載の射出成形機の表示装置である。
【００１４】
請求項７に係る発明は、Ｍ個の成形条件の設定値から成るＮ（Ｎ≧２）組の内、任意の１つの組を比較基準組とし、前記Ｎ組の成形条件の設定値の組の内、前記比較基準組を除く（Ｎ−１）組の内の一部または全てを比較対象組とし、前記比較基準組の成形条件の設定値と、前記比較対象組の成形条件の設定値とをＭ個の成形条件のそれぞれについて比較を行い、前記比較基準組の成形条件の設定値に対して前記比較対象組の成形条件の設定値が所定範囲内である成形条件の数と所定範囲外である成形条件の数の両方、またはいずれか一方を前記比較対象組毎に数え、前記所定範囲内である成形条件の数と所定範囲外である成形条件の数の両方、またはいずれか一方を前記比較対象組に対応させて表示することを特徴とする射出成形機の表示方法である。
【００１５】
請求項８に係る発明は、Ｍ個の成形条件の設定値から成るＮ（Ｎ≧２）組の内、任意の１つの組を比較基準組とし、前記Ｎ個の成形条件の設定値の組の内、前記比較基準組を除く（Ｎ−１）組の内の一部または全てを比較対象組とし、前記比較基準組の成形条件の設定値と、前記比較対象組の成形条件の設定値とをＭ個の成形条件のそれぞれについて比較を行い、前記比較基準組の成形条件の設定値に対して前記比較対象組の成形条件の設定値が所定範囲内である成形条件の数と所定範囲外である成形条件の数の両方、またはいずれか一方を前記比較対象組毎に数え、前記所定範囲内の成形条件の割合と所定範囲外の成形条件の割合の両方、またはいずれか一方を前記比較対象組に対応させて表示することを特徴とする射出成形機の表示方法である。
【００１６】
請求項９に係る発明は、Ｍ個の成形条件の設定値から成るＮ（Ｎ≧２）組の内の一部または全ての中から総当り方式で２つの組を選んで一方を比較基準組、他方を比較対象組とし、前記比較基準組の成形条件の設定値と、前記比較対象組の成形条件の設定値とをＭ個の成形条件のそれぞれについて比較し、前記比較基準組の成形条件の設定値に対して前記比較対象組の成形条件の設定値が所定範囲内である成形条件の数と所定範囲外である成形条件の数の両方、またはいずれ一方を前記比較対象組毎に数え、前記所定範囲内の成形条件の数と所定範囲外の成形条件の数の両方、またはいずれか一方を前記比較対象組に対応させて表示することを特徴とする射出成形機の表示方法である。
【００１７】
請求項１０に係る発明は、Ｍ個の成形条件の設定値から成るＮ（Ｎ≧２）組の内の一部または全ての中から総当り方式で２つの組を選んで一方を比較基準組、他方を比較対象組とし、前記比較基準組の成形条件の設定値と、前記比較対象組の成形条件の設定値とをＭ個の成形条件のそれぞれについて比較し、前記比較基準組の成形条件の設定値に対して前記比較対象組の成形条件の設定値が所定範囲内である成形条件の数と所定範囲外である成形条件の数の両方、またはいずれか一方を前記比較対象組毎に数え、前記所定範囲内である成形条件の割合と所定範囲外である成形条件の割合の両方、またはいずれか一方を前記比較対象組に対応させて表示することを特徴とする射出成形機の表示方法である。
【００１８】
請求項１１に係る発明は、前記Ｍ個の成形条件をＬ（Ｌ≧２）個のグループに分類し、前記比較基準組の成形条件の設定値と、前記比較対象組の成形条件の設定値とをグループ毎にグループ内の成形条件のそれぞれについて比較することを特徴とする請求項７から１０項のいずれか１つに記載の射出成形機の表示方法である。  
請求項１２に係る発明は、前記所定範囲内である成形条件の数と前記所定範囲外である成形条件の数の両方、またはいずれか一方が多い順または少ない順に前記比較対象組を並べて表示することを特徴とする請求項７または８のいずれか１つに記載の射出成形機の表示方法である。
【発明の効果】
【００１９】
本発明により、複数の成形条件の設定値の組の中から、あらかじめ任意の組を１つの比較基準組として選択し、選択された組を除く組の全てまたは一部の組を比較対象組とし、比較対象組の中から、比較基準組と類似した成形条件の設定値を有する組を、容易に見つけることを可能とする表示手段を備えたことを特徴とする射出成形機の表示装置を提供できる。
【図面の簡単な説明】
【００２０】
【図１】射出成形機の概略構成を説明する図である。
【図２】成形条件の設定値の組を記憶した記憶手段を説明する図である。
【図３】比較対象組の成形条件の設定値が所定範囲内である成形条件の数を計数する本発明の処理を説明するフローチャートである。
【図４】比較対象組の成形条件の設定値が所定範囲内である成形条件の数および所定範囲外である成形条件の数を計数する本発明の処理を説明するフローチャートである。
【図５】一致した成形条件の数や割合を記憶した記憶手段を説明する図である。
【図６】画面例１を説明する図である。
【図７】画面例２を説明する図である。
【図８】画面例３を説明する図である。
【図９】画面例４を説明する図である。
【図１０】本発明のハードウェア構成を説明する図である。
【発明を実施するための形態】
【００２１】
以下、本発明の実施形態を図面と共に説明する。  
図１は射出成形機の概略構成を説明する図である。射出成形機は、概略、射出部と型締部とを基台上に配設した射出成形機本体１と、射出成形機全体を制御する制御装置２からなる。射出部は、シリンダ、シリンダ内に樹脂ペレットを投入するためのホッパ、シリンダ内に投入された樹脂ペレットを可塑化および計量、さらに、可塑化された樹脂をシリンダに取り付けられたノズルから射出するために、シリンダ内にスクリュが設けられている。スクリュはシリンダ内において、可塑化のための回転と射出のための軸方向とにモータによって駆動される。一方、型締部は、固定側金型を取り付ける固定型盤と、可動側金型を取り付けるための可動型盤と、前記可動型盤を前記固定型盤に対して進退移動させて型開閉する型締装置を備えている。
【００２２】
制御装置２は、プロセッサであるＣＰＵ３、入出力回路４、バス９を介してＣＰＵ３と接続されるＲＯＭ５、ＲＡＭ６、不揮発性メモリ７、およびＬＣＤ／ＭＤＩ８を備えている。入出力回路４は、射出成形機の型締部を駆動するサーボモータ、スクリュを回転させるサーボモータ、スクリュを軸方向に移動させ溶融樹脂を金型のキャビティに射出させるサーボモータ、サーボモータの回転位置を検出する位置検出器及び射出部のシリンダの温度を計測する温度計などの各種センサが接続されている。
【００２３】
ＲＯＭ５は射出成形機全体を制御する制御プログラムを記憶する。本発明の実施形態において、ＲＯＭ５には、複数の成形条件の設定値の組の中から、あらかじめ任意の組を１つの比較基準組として選択し、選択された組を除く組の全てまたは一部の組を比較対象組とし、比較対象組の中から、比較基準組と類似した成形条件の設定値を有する組を、容易に見つけることを可能とする表示手段を実現するための制御プログラムも格納されている。ＲＡＭ６はデータの一時記憶などに利用される。不揮発性メモリ７は、本発明に係る画面設定データやＮＣプログラムなどを記憶する。ＬＣＤ／ＭＤＩ８は、成形条件や各種指令を入力し、また、ＬＣＤ（液晶表示装置）に表示させるものである。
【００２４】
射出成形機は、型閉じ工程、射出・保圧工程、計量工程、冷却工程、型開き工程、エジェクト工程（突き出し工程）を製品成形の１サイクルの中で実行する。射出成形機は、表示器（ＬＣＤ／ＭＤＩ８）を備えており、該表示器（ＬＣＤ）に、自動運転のための運転条件（成形条件）の設定・確認のための各種運転条件設定画面や、自動運転中の実測データを表示する各種実測データ表示画面などを表示するようになっている。
【００２５】
図２は成形条件の設定値の組を記憶した記憶手段を説明する図である。本発明では、不揮性メモリ（図１参照）などに記憶された複数の成形条件の設定値の組の中から、あらかじめ任意の１つ組を比較基準組として選択し、選択された組を除く組の全てまたは一部の組を比較対象組とし、比較対象組の中から、比較基準組と類似した成形条件の設定値を有する組を、容易に見つけることを可能とする表示手段を提供することにより、従来技術の課題を解決する。
【００２６】
具体的には、選択手段により選択した比較基準組のそれぞれの成形条件の設定値と、比較対象組の成形条件の設定値とを比較する比較手段を有し、比較対象組の成形条件の設定値が比較基準組の成形条件の設定値に対して所定の範囲内であれば、成形条件の設定値が一致していると見なして、その数をカウントする計数手段を有し、反対に範囲外であれば一致していないと見なして、その数をカウントする計数手段を有する。それぞれの計数手段は片方のみでも良く両方有っても良い。そして、比較対象組ごとに一致した成形条件の数と一致していない成形条件の数の両方、またはいずれか一方を表示手段に表示すれば、その数が多い比較対象組ほど比較基準組と類似していることがわかる。選択手段は、例えば、図１のＬＣＤ／ＭＤＩ８において表示される入力画面として実現できる。また、比較手段、計数手段、および、表示手段は、制御装置２のＣＰＵ３、ＬＣＤ／ＭＤＩ８のＬＣＤによって実現できる。
【００２７】
図３は、比較対象組の成形条件の設定値が所定範囲内である成形条件の数を計数する本発明の処理を説明するフローチャートである。以下、各ステップに従って説明する。このフローチャートは組（０）を比較基準組とし、組（１）〜組（ｎ）を比較対象組とした場合のフローチャートである。ここで、ｉは組を特定する指標、ｊは成形条件を特定する指標を表す。
●［ステップＳＡ０１］組を特定する指標ｉを初期値（ｉ＝１）とする。  
●［ステップＳＡ０２］成形条件を特定する指標ｊを初期値（ｊ＝０）、比較対象組の成形条件の設定値が所定範囲内である成形条件の数（以下、「所定範囲内成形条件数」という）ｋ（ｉ）を初期値（ｋ（ｉ）＝０）とする。
●［ステップＳＡ０３］比較対象組の成形条件の設定値（ｉ，ｊ）が比較基準組の成形条件の設定値（０，ｊ）と一致するか否か判断し、一致する場合（ＹＥＳ）にはステップＳＡ０４へ移行し、一致しない場合（ＮＯ）にはステップＳＡ０５へ移行する。ここで、比較対象組の成形条件の設定値（ｉ，ｊ）が比較基準組の成形条件の設定値（０，ｊ）と一致するとは、両者が完全に同一でなくても、比較対象組の成形条件の設定値（ｉ，ｊ）が比較基準組の成形条件の設定値（０，ｊ）に対して所定の範囲内にあれば、一致していると見なし、範囲外であれば一致しないと見なすことができる。
●［ステップＳＡ０４］所定範囲内成形条件数ｋ（ｉ）に１を加算した値を所定範囲内成形条件数ｋ（ｉ）とする。  
●［ステップＳＡ０５］成形条件を特定する指標ｊが最大成形条件数ｍに等しいか否か判断し、等しい場合（ＹＥＳ）にはステップＳＡ０７へ移行し、等しくない場合（ＮＯ）にはステップＳＡ０６へ移行する。  
●［ステップＳＡ０６］成形条件を特定する指標ｊに１を加算した値を成形条件を特定する指標ｊとし、ステップＳＡ０３へ戻る。  
●［ステップＳＡ０７］組を特定する指標ｉが最大組数ｎか否か判断し、等しい場合（ＹＥＳ）には処理を終了し、等しくない場合（ＮＯ）にはステップＳＡ０８へ移行する。  
●［ステップＳＡ０８］組を特定する指標ｉに１を加算した値を組を特定する指標ｉとし、ステップＳＡ０２に戻り、処理を継続する。
【００２８】
上記フローチャートを補足して説明する。ステップＳＡ０３は、比較基準組のそれぞれの成形条件の設定値（０，ｊ）と、比較対象組の成形条件の設定値（ｉ，ｊ）とを比較する比較手段に対応する。ステップＳＡ０４は、比較対象組の成形条件の設定値と比較基準組の成形条件の設定値が一致していると見なして、その数をカウントする計数手段に対応する。
【００２９】
図４は、比較対象組の成形条件の設定値が所定範囲内である成形条件の数および所定範囲外である成形条件の数を計数する本発明の処理を説明するフローチャートである。このフローチャートは組（０）を比較基準組とし、組（１）〜組（ｎ）を比較対象組とした場合のフローチャートである。以下、各ステップに従って説明する。
●［ステップＳＢ０１］組を特定する指標ｉを初期値（ｉ＝１）とする。  
●［ステップＳＢ０２］成形条件を特定する指標ｊを初期値（ｊ＝０）、比較対象組の成形条件の設定値が所定範囲内である成形条件の数（以下、「所定範囲内成形条件数」という）ｋ（ｉ）を初期値（ｋ（ｉ）＝０）、比較対象組の成形条件の設定値が所定範囲外である成形条件の数（以下、「所定範囲外成形条件数」という）ｐ（ｉ）を初期値（ｐ（ｉ）＝０とする。
●［ステップＳＢ０３］比較対象組の成形条件の設定値（ｉ，ｊ）が比較基準組の成形条件の設定値（０，ｊ）と一致するか否か判断し、一致する場合（ＹＥＳ）にはステップＳＢ０５へ移行し、一致しない場合（ＮＯ）にはステップＳＢ０４へ移行する。ここで、比較対象組の成形条件の設定値（ｉ，ｊ）が比較基準組の成形条件の設定値（０，ｊ）と一致するとは、両者が完全に同一でなくても、比較対象組の成形条件の設定値（ｉ，ｊ）が比較基準組の成形条件の設定値（０，ｊ）に対して所定の範囲内にあれば、一致していると見なし、範囲外であれば一致しないと見なすことができる。  
●［ステップＳＢ０４］所定範囲外成形条件数ｐ（ｉ）に１を加算した値を所定範囲外成形条件数ｐ（ｉ）とし、ステップＳＢ０６へ移行する。  
●［ステップＳＢ０５］所定範囲内成形条件数ｋ（ｉ）に１を加算した値を所定範囲内成形条件数ｋ（ｉ）とする。  
●［ステップＳＢ０６］成形条件を特定する指標ｊが最大成形条件数ｍに等しいか否か判断し、等しい場合（ＹＥＳ）にはステップＳＢ０８へ移行し、等しくない場合（ＮＯ）にはステップＳＢ０７へ移行する。  
●［ステップＳＢ０７］成形条件を特定する指標ｊに１を加算した値を成形条件を特定する指標ｊとし、ステップＳＢ０３へ戻る。  
●［ステップＳＢ０８］組を特定する指標ｉが最大組数ｎに等しいか否か判断し、等しい場合（ＹＥＳ）には処理を終了し、等しくない場合（ＮＯ）にはステップＳＢ０９へ移行する。  
●［ステップＳＢ０９］組を特定する指標ｉに１を加算した値を組を特定する指標ｉとし、ステップＳＢ０２に戻り、処理を継続する。  
上記フローチャートを補足して説明する。ステップＳＢ０３は、比較基準組のそれぞれの成形条件の設定値と、比較対象組の成形条件の設定値とを比較する比較手段に対応する。ステップＳＢ０５は、比較対象組の成形条件の設定値が比較基準組の成形条件の設定値に対して所定の範囲内であれば、成形条件の設定値が一致していると見なして、その数をカウントする計数手段を有し、ステップＳＢ０４は、反対に範囲外であれば一致していないと見なして、その数をカウントする計数手段に対応する。
【００３０】
射出成形機の表示装置（図１のＬＣＤ／ＭＤＩ８のＬＣＤ（液晶表示装置））には、比較対象組ごとに一致している成形条件の数を表示しても良いし、一致している成形条件の数を、カウント対象とした成形条件の数で割った割合で表示しても良い（図５，図６を参照）。比較対象組を識別するための識別情報としては、比較対象組の名称を識別情報としても良いし、図２における組のカッコ内の番号のような識別番号を識別情報として表示しても良い。
【００３１】
ところで、一般的に成形においては、金型が同じで樹脂が異なる場合には、型開閉の成形条件の設定値が同じで、射出や計量の成形条件の設定値が異なる。また、樹脂が同じで異なる成形品を成形する場合には、温度の成形条件の設定値が同じで、その他の射出や計量、型開閉などの成形条件の設定値が異なる。このように成形条件の類似性は、型開閉条件、射出条件、計量条件、温度条件など成形条件のグループごとの評価が必要な場合もある。
【００３２】
このため、成形条件のグループ毎に比較基準組の成形条件の設定値に対する比較対象組の成形条件の設定値の一致をカウントし、グループ毎に一致している成形条件の数を組ごとに表示したり、一致している成形条件の割合を比較対象組に対応させて表示するようにしても良い（図７，図８を参照）。そして、比較対象組の中で、成形条件の設定値が比較基準機組の成形条件の設定値と一致した数が多い順または少ない順に比較対象組を並べて表示すれば、比較基準組と類似した比較対象組を容易に見つけることができる。また、表示場所が限られている場合には、一致した成形条件の数が多い上位の比較対象組のみを表示しても良いし、最も一致した成形条件の数が多い比較対象組のみを表示しても良い。
【００３３】
なお、比較基準組は、射出成形機の記憶手段に記憶された複数の成形条件の設定値の組の内の１つでも良いし、現在射出成形機で使用中の成形条件の設定値の組でも良い。また、記憶手段に記憶された成形条件の設定値の組の一部または全ての中から総当り方式で２つの組を選び、一方を比較基準組、他方を比較対象組とし、組の間で一致している成形条件の数や割合を表示しても良い。これにより成形条件の設定値の組の中でいずれの組といずれの組が類似しているかを容易に把握することができる（図９）。
【００３４】
本発明のハードウェア構成を図１０に示す。本発明が射出成形機単体に適用される場合には、前記の記憶手段、比較手段、計数手段、表示手段の全てが射出成形機に搭載される。また、射出成形機が通信回線によって管理装置に接続されている場合には、記憶手段は射出成形機と管理装置のいずれに搭載されていても良い。同様に比較手段、計数手段、表示手段もいずれに搭載されていても良い。
【００３５】
図１０（ａ）は、射出成形機１０の単体に記憶手段１１および比較手段・計数手段・表示手段１２を備えた構成を示している。図１０（ｂ）は、射出成形機１０に記憶手段１１、通信回線で接続された管理装置２０に比較手段・計数手段・表示手段２２を備えた構成を示している。図１０（ｃ）は、射出成形機１０が通信回線で接続される管理装置２０に記憶手段２１、比較手段・計数手段・表示手段２２を備えた構成を示している。図１０（ｄ）は、射出成形機１０に比較手段・計数手段・表示手段１２、管理装置２０に記憶手段２１を備えた構成を示している。
【００３６】
上述した本発明の実施形態により、記憶された複数の成形条件の設定値の組の中から、選択された任意の組に類似した組を、煩雑な作業無しに容易に見つけ出すことが可能になる。
【符号の説明】
【００３７】
１  射出成形機本体
２  制御装置
３  ＣＰＵ
４  入出力回路
５  ＲＯＭ
６  ＲＡＭ
７  不揮発性メモリ
８  ＬＣＤ／ＭＤＩ
９  バス
１０  射出成形機
１１  記憶手段
１２  比較・計数・表示手段
２０  管理装置
２１  記憶手段
２２  比較・計数・表示手段
ｉ  組を特定する指標
ｊ  成形条件を特定する指標
ｋ（ｉ）  所定範囲内成形条件数
ｍ  最大成形条件数
ｎ  最大組数
ｐ（ｊ）  所定範囲外成形条件数
【図１】
2014136351.tif 000003
【図２】
2014136351.tif 000004
【図３】
2014136351.tif 000005
【図４】
2014136351.tif 000006
【図５】
2014136351.tif 000007
【図６】
2014136351.tif 000008
【図７】
2014136351.tif 000009
【図８】
2014136351.tif 000010
【図９】
2014136351.tif 000011
【図１０】
2014136351.tif 000012